(57)【要約】【課題】簡単な回路構成で、安定したＣＷ信号を生成可能な無線送信装置を提供する。【解決手段】直交変調器１０の各入力端子ＩＰ，ＩＮ，ＱＰ，ＱＮは、各カップリングコンデンサＣＩＡ，ＣＩＢ，ＣＱＡ，ＣＱＢ（ＣＩＡ＝ＣＩＢ＝ＣＱＡ＝ＣＱＢ）を介しベースバンド信号に対して交流結合されている。そして、各入力端子ＩＰ，ＩＮ，ＱＰ，ＱＮは、ＤＣバランスをとるために、電源端子ＶＤＤに各抵抗Ｒ４ＩＡ，Ｒ４ＩＢ，Ｒ４ＱＡ，Ｒ４ＱＢ（Ｒ４ＩＡ＝Ｒ４ＩＢ＝Ｒ４ＱＡ＝Ｒ４ＱＢ）および抵抗Ｒ５を介して接続されている。そして、入力端子ＩＮ，ＱＮにスイッチ回路３０が接続されている。スイッチ回路３０は、入力端子ＩＮと接地間に接続されたＮＰＮトランジスタ３１と、入力端子ＱＮと接地間に接続されたＮＰＮトランジスタ３２とで構成され、各トランジスタのベースは、無線送信装置が通常の動作状態のとき、各トランジスタがオフし、ＣＷ信号を生成するとき、各トランジスタがオンするように制御信号により制御される。【選択図】　図１
2004120444.tif 000002
【特許請求の範囲】
【請求項１】
ベースバンド信号を交流結合で直交変調器に供給し、直交変調器から高周波変調信号を出力する無線送信装置において、
直交変調器のＩ入力およびＱ入力の一部の入力端子にその電位を直流的に接地電位とするスイッチ手段を設け、直交変調器から無変調信号を出力するとき、そのスイッチ手段をオン制御することを特徴とする無線送信装置。
【発明の詳細な説明】
【０００１】
【発明の属する技術分野】
本発明は、無線送信装置に関し、特にローカル信号と同一周波数の直交変調器からの無変調信号を周波数測定用信号として用いる無線送信装置に関する。
【０００２】
【従来の技術】
無線送信装置から発せられる電波は、電波法により使用目的に応じて周波数が厳密に割り当てられている。そのため、無線送信装置の製造段階において、無線送信装置の出力周波数を測定することにより、その出力周波数が所定周波数範囲内に入っているかの検査が行われる。この出力周波数の測定法の一つとして、出力信号として生成した無変調の信号の周波数を測定する方法がある。この無変調の出力信号の生成は、無線送信装置に含まれる変調器においてローカル信号と同一周波数の無変調の信号（以下、ＣＷ信号という）を生成することにより行われる。以下、直交変調器におけるＣＷ信号の生成について説明する。
【０００３】
一般に直交変調器は、図２に示すように、ベースバンド信号として同相成分であるＩ信号と、直交成分であるＱ信号とを入力するとともに、ローカル信号Ａを入力し、そのローカル信号Ａと、移相器１でローカル信号Ａの位相を９０°ずらしたローカル信号Ｂとのそれぞれに対して、２つのベースバンド信号Ｉ，Ｑを乗算器２Ａ，２Ｂで乗算し、乗算器２Ａ，２Ｂからの出力を加算器３で加算することによって変調波信号を出力するものである。
【０００４】
この原理を実現した製品として、例えば、アナログ・デバイセス社の製品が使用される（例えば、非特許文献１参照。）。以下、非特許文献１に示されている直交変調器について、品名「ＡＤ８３４６」を例に説明する。直交変調器１０は、図３に示すように、移相器１１、２個の乗算器１２Ａ，１２Ｂ、加算器１３、２個の増幅器１４Ａ，１４Ｂ等で構成され、ベースバンド信号のＩ信号入力端子ＩＰ，ＩＮ、Ｑ信号入力端子ＱＰ，ＰＮ、ローカル信号入力端子ＬＯＰ，ＬＯＮ、およびＲＦ信号出力端子ＶＯＵＴを有している。この直交変調器１０は、用途により、図４に示すように、前段に接続されるＤ／Ａ変換器２０に直流結合（ＤＣカップリング）されるか、図５に示すように、前段に接続されるＤ／Ａ変換器２０にカップリングコンデンサＣＩＡ，ＣＩＢ，ＣＱＡ，ＣＱＢを介することにより交流結合（ＡＣカップリング）されるかして、Ｄ／Ａ変換器２０からベースバンド信号Ｉ／Ｑが供給される。
【０００５】
先ず、図４に示す直流結合されて用いられる直交変調器１０でのＣＷ信号の生成について説明する。直交変調器１０の各入力端子ＩＰ，ＩＮ，ＱＰ，ＱＮは、Ｄ／Ａ変換器２０の各出力端子ＩＡ，ＩＢ，ＱＡ，ＱＢに各抵抗Ｒ１ＩＡ，Ｒ１ＩＢ，Ｒ１ＱＡ，Ｒ１ＱＢ（Ｒ１ＩＡ＝Ｒ１ＩＢ＝Ｒ１ＱＡ＝Ｒ１ＱＢ、例えば、５００Ω）を介して直流結合されている。そして、各入力端子ＩＰ，ＩＮ，ＱＰ，ＱＮは、ＤＣバランスをとるために、電源端子ＶＤＤに各抵抗Ｒ２ＩＡ，Ｒ２ＩＢ，Ｒ２ＱＡ，Ｒ２ＱＢ（Ｒ２ＩＡ＝Ｒ２ＩＢ＝Ｒ２ＱＡ＝Ｒ２ＱＢ、例えば、５００Ω）および抵抗Ｒ３（例えば、６３４Ω）を介して接続されている。上記接続の直交変調器１０の出力端子ＶｏｕｔからＣＷ信号を出力するには、直交変調器１０の入力端子ＬｏＰ，ＬｏＮにローカル信号を入力するとともに、Ｄ／Ａ変換器２０の出力端子ＩＡ，ＩＢ，ＱＡ，ＱＢから直交変調器１０の入力端子ＩＰ，ＩＮ，ＱＰ，ＱＮのＤＣバランスを崩すＤＣレベルの電圧を出力することにより、直交変調器１０の出力端子Ｖｏｕｔから無変調のＣＷ信号が出力される。
【０００６】
次に、図５に示す交流結合されて用いられる直交変調器１０でのＣＷ信号の生成について説明する。直交変調器１０の各入力端子ＩＰ，ＩＮ，ＱＰ，ＱＮは、Ｄ／Ａ変換器２０の各出力端子ＩＡ，ＩＢ，ＱＡ，ＱＢに各カップリングコンデンサＣＩＡ，ＣＩＢ，ＣＱＡ，ＣＱＢ（ＣＩＡ＝ＣＩＢ＝ＣＱＡ＝ＣＱＢ、例えば、０．０１μＦ）を介して交流結合されている。そして、各入力端子ＩＰ，ＩＮ，ＱＰ，ＱＮは、ＤＣバランスをとるために、電源端子ＶＤＤ（例えば、＋５Ｖ）に各抵抗Ｒ４ＩＡ，Ｒ４ＩＢ，Ｒ４ＱＡ，Ｒ４ＱＢ（Ｒ４ＩＡ＝Ｒ４ＩＢ＝Ｒ４ＱＡ＝Ｒ４ＱＢ、例えば、２．４３ｋΩ）および抵抗Ｒ５（例えば、１ｋΩ）を介して接続されている。上記接続の直交変調器１０の出力端子ＶｏｕｔからＣＷ信号を出力する場合、コンデンサを介して交流結合しているため、上述の直流結合の方法が使用できない。そのため、従来は、直交変調器１０を構成するデバイスが、製造バラツキによりどのデバイスでもベースバンド信号Ｉ／ＱのＩ入力とＱ入力間に多少のＤＣオフセットを有し、このＤＣオフセットにより出力端子からローカル信号と同じ周波数の無変調の信号が出力されるということを利用して、この無変調の信号をＣＷ信号としていた。
また、他の方法として、つぎのようにして擬似的なＣＷ信号を生成していた。各入力端子ＩＰ，ＩＮ，ＱＰ，ＱＮに入力されるベースバンド信号Ｉ／ＱをＩ（ｔ），Ｉ（ｔ＋π），Ｑ（ｔ），Ｑ（ｔ＋π）、入力端子ＬｏＰ，ＬｏＮに入力されるローカル信号の周波数をｆｃとすると、出力端子Ｖｏｕｔからの出力信号ｓ（ｔ）は、次のように表される。
ｓ（ｔ）＝Ｉ（ｔ）・ｃｏｓ（２πｆｃｔ）−Ｑ（ｔ）・ｓｉｎ（２πｆｃｔ）…（１）
この（１）式のＩ（ｔ），Ｑ（ｔ）に、周波数がｆｍで互いに９０°位相のずれた信号、Ｉ（ｔ）＝ｃｏｓ（２πｆｍｔ），Ｑ（ｔ）＝ｓｉｎ（２πｆｍｔ）を入力すると、理論的に出力信号ｓ（ｔ）は、次のように表される。
ｓ（ｔ）＝ｃｏｓ｛２π（ｆｃ＋ｆｍ）ｔ｝…（２）
この（２）式で表されるローカル信号の周波数ｆｃから周波数ｆｍだけ＋側にずれた周波数の出力ｓ（ｔ）をＣＷ信号として利用する。
【０００７】
【非特許文献１】
“ＡＤ８３４６　Ｄａｔａｓｈｅｅｔｓ　；　０．８　ＧＨｚ−２．５　ＧＨｚ　Ｑｕａｄｒａｔｕｒｅ　Ｍｏｄｕｌａｔｏｒ
（Ｄａｔａｓｈｅｅｔ，　Ｒｅｖ．　０　−　３／９９）”、［ｏｎｌｉｎｅ］、ＡＮＡＬＯＧ・ＤＥＶＩＣＥＳ社、
［平成１４年９月５日検索］、インターネット＜ＵＲＬ：
ｈｔｔｐ：／／ｐｒｏｄｕｃｔｓ．ａｎａｌｏｇ．ｃｏｍ／ｐｒｏｄｕｃｔｓ／ｉｎｆｏ．ａｓｐ？ｐｒｏｄｕｃｔ＝ＡＤ８３４６
【０００８】
【発明が解決しようとする課題】
ところで、上記の交流結合して使用する直交変調器において、１番目の方法では、理想的には零であるべきデバイスの製造バラツキによるＤＣオフセットを利用するため、無変調のＣＷ信号の出力レベルにもバラツキがあり、一定のレベルのＣＷ信号が得られないという問題があった。また、２番目の方法では、ベースバンド信号Ｉ／Ｑとして、無線送信装置が通常の動作状態のときとは別に、ＣＷ信号生成用のベースバンド信号Ｉ／Ｑを供給する必要があり、ベースバンド信号生成回路の回路規模が大きくなるという問題があった。
本発明は上記問題点に鑑みてなされたものであり、その目的は、簡単な回路構成で、安定したＣＷ信号を生成可能な無線送信装置を提供することである。
【０００９】
【課題を解決するための手段】
本発明の無線送信装置は、ベースバンド信号を交流結合で直交変調器に供給し、直交変調器から高周波変調信号を出力する無線送信装置において、直交変調器のＩ入力およびＱ入力の一部の入力端子にその電位を接地電位とするスイッチ手段を設け、直交変調器から無変調信号を出力するとき、そのスイッチ手段をオン制御することを特徴とする。
【００１０】
【発明の実施の形態】
以下、本発明の一実施例の無線送信装置について、図１を参照して説明する。この無線送信装置は、直交変調器１０がベースバンド信号に対して交流結合されて用いられる。直交変調器１０の各入力端子ＩＰ，ＩＮ，ＱＰ，ＱＮは、Ｄ／Ａ変換器２０の各出力端子ＩＡ，ＩＢ，ＱＡ，ＱＢに各カップリングコンデンサＣＩＡ，ＣＩＢ，ＣＱＡ，ＣＱＢ（ＣＩＡ＝ＣＩＢ＝ＣＱＡ＝ＣＱＢ、例えば、０．０１μＦ）を介して交流結合されている。そして、各入力端子ＩＰ，ＩＮ，ＱＰ，ＱＮは、ＤＣバランスをとるために、電源端子ＶＤＤ（例えば、＋５Ｖ）に各抵抗Ｒ４ＩＡ，Ｒ４ＩＢ，Ｒ４ＱＡ，Ｒ４ＱＢ（Ｒ４ＩＡ＝Ｒ４ＩＢ＝Ｒ４ＱＡ＝Ｒ４ＱＢ、例えば、２．４３ｋΩ）および抵抗Ｒ５（例えば、１ｋΩ）を介して接続されている。そして、さらに入力端子ＩＰ，ＩＮ，ＱＰ，ＱＮのうち、どれか１つまたは２つに、図１の例では、入力端子ＩＮ，ＱＮにスイッチ回路３０が接続されている。スイッチ回路３０は、入力端子ＩＮと接地間に接続された第１スイッチ素子としてのＮＰＮトランジスタ３１と、入力端子ＱＮと接地間に接続された第２スイッチ素子としてのＮＰＮトランジスタ３２とで構成され、各トランジスタのベースは、無線送信装置が通常の動作状態のとき、各トランジスタがオフし、ＣＷ信号を生成するとき、各トランジスタがオンするように制御信号により制御される。
【００１１】
次に、上記構成の無線送信装置のＣＷ信号の生成動作について説明する。スイッチ回路３０の各トランジスタ３１，３２のベースに各トランジスタがオンする制御信号が供給されると、直交変調器１０の入力端子ＩＮ，ＱＮの電位は接地電位となり、直交変調器１０の入力端子ＩＰ，ＩＮ，ＱＰ，ＱＮのＤＣバランスが崩れ、直交変調器１０の出力端子Ｖｏｕｔから無変調のＣＷ信号が出力される。
【００１２】
以上のように、２値の制御信号をスイッチ回路３０に供給するだけで、ＣＷ信号を生成でき、簡単な構成で精度よいＣＷ信号が生成できる。また、ＣＷ信号生成用のベースバンド信号を供給する必要がないため、ベースバンド信号生成回路の回路規模を大きくしなくてもよい。
【００１３】
【発明の効果】
本発明の無線送信装置によれば、ＣＷ信号の生成時に直交変調器の入力端子ＩＰ，ＩＮ，ＱＰ，ＱＮのうち、どれが１つまたは２つの電位を接地電位とするスイッチ手段を設けたので、簡単な構成で精度よいＣＷ信号が生成できる。また、ＣＷ信号生成用のベースバンド信号を供給する必要がないため、ベースバンド信号生成回路の回路規模を大きくしなくてもよい。
【図面の簡単な説明】
【図１】本発明の無線送信装置の一実施例を示すブロック図。
【図２】直交変調器の原理図。
【図３】無線送信装置に用いられる直交変調器のブロック回路図。
【図４】図３の直交変調器を直流結合で使用するときの回路図。
【図５】図３の直交変調器を交流結合で使用するときの回路図。
【符号の説明】
１０　直交変調器
３０　スイッチ回路
ＣＩＡ，ＣＩＢ，ＣＱＡ，ＣＱＢ　カップリングコンデンサ
【図１】
2004120444.tif 000003
【図２】
2004120444.tif 000004
【図３】
2004120444.tif 000005
【図４】
2004120444.tif 000006
【図５】
2004120444.tif 000007